(57)【要約】      （修正有）【課題】冷媒配管の冷却を回避する一方、同仕切板の形状により整流機能を高くして可及的に送風性能を向上させた薄型の空気調和機用室内機を提供する。【解決手段】箱型の室内機ケーシングと、室内機ケーシングの前面側中央部に設けられた空気吸込口と、室内機ケーシングの前面側左右に設けられた左右一対の空気吹出口と、室内機ケーシングの内側にあって空気吸込口から左右一対の空気吹出口に連続する一対の空気通路と、一対の空気通路各々の上流側に位置して空気吸込口に対応して設けられた共通の遠心ファンと、一対の空気通路の下流側に左右一対の各空気吹出口に対応して設けられた左右一対の熱交換器と、左右一対の熱交換器およびファンの下部に設けられたドレンパンとを備えてなる空気調和機用室内機であって、ファンおよび熱交換器とドレンパンとの間に仕切板を設けた。【選択図】図１
2009115338.tif 000002
【特許請求の範囲】
【請求項１】
箱型の室内機ケーシングと、該室内機ケーシングの前面側中央部に設けられた空気吸込口と、上記室内機ケーシングの前面側左右に設けられた左右一対の空気吹出口と、上記室内機ケーシングの内側にあって上記空気吸込口から上記左右一対の空気吹出口に連続する一対の空気通路と、該一対の空気通路各々の上流側に位置して上記空気吸込口に対応して設けられた共通の遠心ファンと、上記一対の空気通路の下流側に上記左右一対の各空気吹出口に対応して設けられた左右一対の熱交換器と、上記左右一対の熱交換器およびファンの下部に設けられたドレンパンとを備えてなる空気調和機用室内機であって、上記ファンおよび熱交換器と上記ドレンパンとの間に仕切板を設けたことを特徴とする空気調和機用室内機。
【請求項２】
箱型の室内機ケーシングと、該室内機ケーシングの前面側中央部に設けられた空気吸込口と、上記室内機ケーシングの前面側左右に設けられた左右一対の空気吹出口と、上記室内機ケーシングの内側にあって上記空気吸込口から上記左右一対の空気吹出口に連続する一対の空気通路と、該一対の空気通路各々の上流側に位置して上記空気吸込口に対応して設けられた共通の遠心ファンと、上記一対の空気通路の下流側に上記左右一対の各空気吹出口に対応して設けられた左右一対の熱交換器と、上記左右一対の熱交換器およびファンの下部に設けられたドレンパンと、上記ファンと上記ドレンパンとの間に設けられた仕切板とを備えてなる空気調和機用室内機であって、上記遠心ファンの回転軸を上方側又は下方側の何れかに偏位させ、上記遠心ファンの空気吹出口と上記仕切板又は室内機ケーシング天板との間の間隔を大きくしたことを特徴とする空気調和機用室内機。
【請求項３】
上記仕切板を湾曲させ、遠心ファンの空気吹出口との間の間隔を大きくしたことを特徴とする請求項１記載の空気調和機用室内機。
【請求項４】
上記遠心ファンはスクロール通路を有し、上記仕切板は該スクロール通路の通路形状に沿って湾曲されていることを特徴とする請求項１記載の空気調和機用室内機。
【請求項５】
左右一対の熱交換器は、室内機ケーシング内の中央部から左右に延びる空気通路の各々において、相互にハの字を形成するように傾斜して設けられていることを特徴とする請求項１，２，３又は４記載の空気調和機用室内機。
【発明の詳細な説明】
【技術分野】
【０００１】
本願発明は、薄型化を可能とした空気調和機用の室内機の構成に関するものである。
【背景技術】
【０００２】
一般に使用されている従来の壁掛け型室内機では、例えばラムダ型のクロスフィン熱交換を前後２つのドレンパン上に支持するとともに、同ラムダ型の熱交換器の間にクロスフローファンを設置し、熱交換器を通した風をスクロール通路を介して室内に吹き出すようになっている（特許文献１参照）。
【０００３】
【特許文献１】実開平５−８３１６号公報（図１，図２）
【発明の開示】
【発明が解決しようとする課題】
【０００４】
したがって、そのような構成の場合、熱交換器とクロスフローファンが前後方向に重合する関係にあり、室内機本体の厚さを薄くするには限界があった。
【０００５】
そこで、本願発明者らは、例えば小型で熱交換効率の高いアルミ積層熱交換器等を遠心ファンの左右にハの字形に傾斜させて配置し、前面側中央部から吸込んだ空気を左右両側の空気吹出口から前方に吹き出すようにすることによって、可能な限り室内機本体の薄型化を図ることを試みている。
【０００６】
その場合、左右一対の熱交換器および遠心ファンの下方にドレンパンを設けるとともに、該ドレンパン内に収納する形で当該左右熱交換器に必要な冷媒配管を配設する一方、遠心ファンの空気室とドレンパン側とを何らかの方法で仕切ることにより遠心ファンからの風を空気吹出口方向にスムーズに整流するとともに、冷媒の相変化を防止するために冷媒配管部分の冷却を回避する必要が生じる。
【０００７】
そこで、このような要求に応じるために、本願発明は、上記遠心ファンおよび左右一対の熱交換器とドレンパンとを仕切板を設けて仕切ることにより、冷媒配管の冷却を回避する一方、同仕切板の形状により整流機能を高くして可及的に送風性能を向上させた薄型の空気調和機用室内機を提供することを目的とするものである。
【課題を解決するための手段】
【０００８】
本願発明は、上記の目的を達成するために、次のような有効な課題解決手段を備えて構成されている。
【０００９】
（１）  請求項１の発明
この発明は、箱型の室内機ケーシングと、該室内機ケーシングの前面側中央部に設けられた空気吸込口と、上記室内機ケーシングの前面側左右に設けられた左右一対の空気吹出口と、上記室内機ケーシングの内側にあって上記空気吸込口から上記左右一対の空気吹出口に連続する一対の空気通路と、該一対の空気通路各々の上流側に位置して上記空気吸込口に対応して設けられた共通の遠心ファンと、上記一対の空気通路の下流側に上記左右一対の各空気吹出口に対応して設けられた左右一対の熱交換器と、上記左右一対の熱交換器およびファンの下部に設けられたドレンパンとを備えてなる空気調和機用室内機であって、上記ファンおよび熱交換器と上記ドレンパンとの間に仕切板を設けたことを特徴としている。
【００１０】
このような構成によれば、仕切板により遠心ファンおよび熱交換器からの風が冷媒配管側に作用するのが阻止されるので、冷媒配管中の冷媒の相変化が防止される。
【００１１】
また、同仕切板が遠心ファンからの風を吹出口方向にスムーズに整流するので、送風性能が向上し、熱交換器の熱交換効率も向上する。
【００１２】
（２）  請求項２の発明
この発明は、上記請求項１の発明の構成において、箱型の室内機ケーシングと、該室内機ケーシングの前面側中央部に設けられた空気吸込口と、上記室内機ケーシングの前面側左右に設けられた左右一対の空気吹出口と、上記室内機ケーシングの内側にあって上記空気吸込口から上記左右一対の空気吹出口に連続する一対の空気通路と、該一対の空気通路各々の上流側に位置して上記空気吸込口に対応して設けられた共通の遠心ファンと、上記一対の空気通路の下流側に上記左右一対の各空気吹出口に対応して設けられた左右一対の熱交換器と、上記左右一対の熱交換器およびファンの下部に設けられたドレンパンと、上記ファンと上記ドレンパンとの間に設けられた仕切板とを備えてなる空気調和機用室内機であって、上記遠心ファンの回転軸を上方側又は下方側の何れかに偏位させ、上記遠心ファンの空気吹出口と上記仕切板又は室内機ケーシング天板との間の間隔を大きくしたことを特徴としている。
【００１３】
このような構成によれば、仕切板により遠心ファンおよび熱交換器からの風が冷媒配管側に作用するのが阻止されるので、冷媒配管中の冷媒の相変化が防止される。
【００１４】
また、同仕切板が遠心ファンからの風を吹出口方向にスムーズに整流するので、送風性能が向上するが、この発明の場合には、上記遠心ファンの回転軸を上方側又は下方側の何れかに偏位させ、上記遠心ファンの空気吹出口と上記仕切板又は室内機ケーシング天板との間の間隔を大きくしていることから、圧損が低下し、より送風効率が向上する。
【００１５】
（３）  請求項３の発明
この発明は、上記請求項１の発明の構成において、上記仕切板を湾曲させ、遠心ファンの空気吹出口との間の間隔を大きくしたことを特徴としている。
【００１６】
このような構成によれば、仕切板により遠心ファンおよび熱交換器からの風が冷媒配管側に作用するのが阻止されるので、冷媒配管中の冷媒の相変化が防止される。
【００１７】
また、同仕切板が湾曲されていて、遠心ファンからの風を吹出口方向にスムーズに整流するので、送風性能が向上し、熱交換器の熱交換効率も向上する。
【００１８】
（４）  請求項４の発明
この発明は、上記請求項１の発明の構成において、上記遠心ファンはスクロール通路を有し、上記仕切板は該スクロール通路の通路形状に沿って湾曲されていることを特徴としている。
【００１９】
このように、遠心ファンがスクロール通路を有する場合、上記仕切板は該スクロール通路の通路形状に沿って湾曲されていることが好ましく、そのように構成されていると、より送風性能が向上する。
【００２０】
（５）  請求項５の発明
この発明は、上記請求項１，２，３又は４の発明の構成において、左右一対の熱交換器は、室内機ケーシング内の中央部から左右に延びる空気通路の各々において、相互にハの字を形成するように傾斜して設けられていることを特徴としている。
【００２１】
このように、左右一対の熱交換器は、室内機ケーシング内の中央部から左右に延びる空気通路の各々において、相互にハの字を形成するように傾斜して設けられている場合には、必要な熱交換面積を確保しながら、室内機本体の前後方向厚さを可及的に小さくすることができ、より一層薄型化を図ることができる。
【発明の効果】
【００２２】
以上の結果、本願発明によると、室内機本体の薄型化を図りながら、十分に有効な送風性能を実現することができる。
【発明を実施するための最良の形態】
【００２３】
（最良の実施の形態１）
図１〜図８は、本願発明の最良の実施の形態１に係る空気調和機用室内機の構成を示している。
【００２４】
図１〜図３中、先ず符号１は、例えば左右両方向に１台のファンおよび２台の熱交換器の組み合わせよりなる一対の室内機ユニットが並設されたツインタイプの当該空気調和機用室内機の左右方向に長く前後方向に偏平なカセット型の本体ケーシングである。該本体ケーシング１は、その背面側にファンモータ取付面となる背面パネル（背面板）１ａ，１ａ、左右両端面側に側面パネル（側面板）１ｂ，１ｂ、前面側に吸気・吹出パネル（前面板）１ｃ，１ｃ、上面側に上面パネル（天板）１ｄ，１ｄ、下面側に下面パネル（底板）１ｅ，１ｅがそれぞれ設けられている。
【００２５】
そして、上記本体ケーシング１の上記前面側吸気・吹出パネル１ｃ，１ｃには、それぞれ中央部に円形のベルマウス機能を備えた空気吸込口５，５が設けられている。そして、その内側には遠心送風機として奥行方向の軸長が小さいターボファン８，８が設けられている。
【００２６】
このターボファン８，８は、主板８ｄ，８ｄとシュラウド８ｃ，８ｃとの間に多数枚の翼８ａ，８ａ・・・、８ａ，８ａ・・・を具備して構成されている。
【００２７】
また、上記本体ケーシング１の吸気・吹出パネル１ｃ，１ｃの上記空気吸込口５，５の左右には、それぞれ所定の幅で上下方向に延びる一対の長方形状の空気吹出口７，７、７，７が設けられている。これら空気吹出口７，７、７，７の内のケーシング中央部側のものは共通に形成されている。
【００２８】
そして、上記本体ケーシング１内には、上記ベルマウス構造の空気吸込口５，５から上記左右両側の空気吹出口７，７、７，７方向に到る各々２方向の通風路（空気通路）６，６、６，６が形成されており、該通風路６，６、６，６の上記空気吸込口５，５の背後に位置して、その空気吸込側シュラウド８ｃ，８ｃを対応させる形でターボファン８，８が設置され、ファンモータ８ｂ，８ｂを介して上記本体ケーシング１の背面パネル１ａ，１ａに対して固定されている。この背面パネル１ａは、図４に示すように高さＨのドレンパン１５の背板１６と共通に形成されている。
【００２９】
また、同通風路６，６、６，６には、当該ターボファン８，８を挟む状態で、その下流側空気吹出口７，７、７，７に対応する位置に左右一対の空気熱交換器９，９、９，９が設けられている。この左右一対の空気熱交換器９，９、９，９は、上記室内機本体ケーシング１内の上記中央部から左右に延びる左右一対の空気通路６，６、６，６の各々において、相互にハの字を形成するように十分に傾斜させて設けられている。
【００３０】
このように左右一対の熱交換器９，９、９，９が、室内機本体ケーシング１内の中央部から左右に延びる一対の通風路６，６、６，６の各々において、相互にハの字を形成するように十分に傾斜して設けられていると、例えば図３から明らかなように、必要な熱交換面積を有効に確保しながら、室内機本体の前後方向厚さ（奥行寸法）を可及的に小さくすることができ、より一層薄型化を図ることができる。
【００３１】
そして、同空気熱交換器９，９、９，９は、図４に示すように、その下端側をドレンパン１５上に所定の位置決め部材を用いて正確に位置決め固定されることによってドレンパン１５と一体に支持されている。
【００３２】
また、この実施の形態の場合、同空気熱交換器９，９、９，９は、例えば図５に示すように、偏平な伝熱管（多穴管）９ａ，９ａ・・・および偏平な伝熱フィン（一例としてコルゲートフィン）９ｂ，９ｂ・・・を備えた極めて伝熱性能の高いコンパクトなアルミ積層熱交換器よりなっている。
【００３３】
また、符号２０（２０ａ，２０ｂ），２０（２０ａ，２０ｂ）は冷媒ヘッダであり、同アルミ積層型の空気熱交換器９の下部に設けられている。そして、これら冷媒ヘッダ２０（２０ａ，２０ｂ），２０（２０ａ，２０ｂ）に対して冷媒配管２１ａ〜２１ｄ（図７を参照）が連設されている。
【００３４】
さらに、この実施の形態では、例えば図４，図７に示すように、必要に応じて暖房運転時に凝縮器として作用し、冷房運転時に蒸発器として作用する過冷却熱交換器１９が設けられる。この過冷却熱交換器１９は、ターボファン８，８の空気吹出口７，７側空気熱交換器９，９の手前側に略対称に配置される。この過冷却熱交換器１９は、例えば図６に示すように、１本の熱交換チューブ２１ｅにスパインフィン１９ａを巻き付けた簡素な構造の小型円筒状のフィン付き熱交換器として構成されており、熱交換チューブ２１ｅが上下方向に向くようにして設置される。
【００３５】
そして、上記室内機本体ケーシング１における上記左右一対の各空気熱交換器９，９、９，９に対応する背面側パネル１ａ，１ａ、左右両端面側パネル１ｂ，１ｂ、前面側パネル１ｃの内壁面部分には、それぞれ内部が真空で偏平な真空断熱材１０，１０，１０が貼設されている。この真空断熱材１０，１０，１０は、例えば内側に保形用のグラスウールを収納（充填）した合成樹脂製のシート状真空チューブの外周にアルミホイールを貼設して構成されている。
【００３６】
ところで、本実施の形態の場合、以上のように小型で熱交換効率の高いアルミ積層型の空気熱交換器９，９、９，９をターボファン８，８の左右にそれぞれハの字形に傾斜させて配置し、前面側中央部の空気吸込口５，５から吸込んだ空気を左右両側の空気吹出口７，７、７，７から前方に吹き出すようにすることによって、可能な限り室内機本体の薄型化を図るようにした場合において、さらに左右一対の熱交換器９，９、９，９およびターボファン８，８の下方には、共通に皿型のドレンパン１５（底面部１５ａ）が設けられている。そして、該ドレンパン１５内の空き空間を利用して上記左右一対の空気熱交換器９，９、９，９に必要な多数本の冷媒配管２１ａ〜２１ｄを配設している。
【００３７】
ところが、このような構成を採用すると、上記ターボファン８，８の空気室とドレンパン１５側とを何らかの方法で仕切ることによりターボファン８，８からの風を空気吹出口７，７、７，７方向にスムーズに整流するとともに、冷媒の相変化を防止するために冷媒配管２１ａ〜２１ｅ部分への風の作用を回避する必要が生じる。
【００３８】
そこで、このような要求に応じるために、本実施の形態では、上記ターボファン８，８および左右一対の空気熱交換器９，９、９，９とドレンパン１５（および冷媒配管２１ａ〜２１ｅ）との間を仕切板１７，１７を設けて仕切ることにより、冷媒配管２１ａ〜２１ｅの冷却を回避する一方、同仕切板１７の形状をターボファン８，８の形状に対応させることにより（本実施の形態ではフラット）、整流機能を高くして可及的に送風性能を向上させるようにしている。
【００３９】
このような構成によれば、仕切板１７，１７によりターボファン８，８および熱交換器９，９からの風が冷媒配管側に作用するのが阻止されるので、冷媒配管２１ａ〜２１ｄ中の冷媒の相変化が防止される。
【００４０】
また、同仕切板１７，１７がターボファン８，８からの風を吹出口７，７方向にスムーズに整流するので、送風性能が向上し、熱交換器の熱交換効率も向上する。
【００４１】
さらに、この実施の形態の場合には、例えば図１および図２に示すように、必要に応じて上記前面側吸気・吹出パネル１ｃ，１ｃの前面側に前面カバー２，２および３，３が設けられる。その場合、これら前面カバー２，２、３，３は、例えば内側の２つの前面カバー２，２が上記空気吸込口５，５と中央部側共通の空気吹出口７，７部分をカバーし、外側の２つの前面カバー３，３が本体ケーシング１両端側の各吹出口７，７をカバーするものとして構成される。
【００４２】
内側の前面カバー２，２は、それぞれ例えばリンク構造の支持部材２１，２１によって前後方向（又は前後斜目方向）に開閉作動されて、開状態では図２のように上下両方向から空気吸込口５，５内に空気を侵入させるとともに中央部の共通な空気吹出口７，７を開放して空気を吹き出す。
【００４３】
他方、外側の前面カバー３，３は、ヒンジ構造に開閉作動せしめられれて、開状態ではケーシングの左右両端側の空気吹出口７，７を開放して空気を吹き出す。
【００４４】
一方、それら各前面カバー２，２、３，３の全てが図１のように閉じられると、ケーシング全体としてフラットフェイスの１つのキャビネット構造体を形成する。
【００４５】
（最良の実施の形態２）
次に図９は、本願発明の最良の実施の形態２に係る空気調和機用室内機の構成を示している。
【００４６】
この実施の形態の場合、上記最良の実施の形態１の構成の仕切板１７，１７自体の構成を変えることなく、例えば上述したターボファン８，８の回転軸（駆動軸）を、例えば図９に示すように、上方側に所定寸法偏位させ、それによって上記ターボファン８，８の空気吹出口と上記仕切板１７，１７との間の間隔を大きくしたことを特徴とするものである（図８と対比）。
【００４７】
このような構成によれば、上記最良の実施の形態１の場合と同じように、仕切板１７によりターボファン８，８および熱交換器９，９、９，９からの風が冷媒配管２１ａ〜２１ｅ側に作用するのが阻止されるので、冷媒配管２１ａ〜２１ｅ中の冷媒の相変化が防止される。
【００４８】
また、同様に仕切板１７，１７がターボファン８，８からの風を吹出口方向にスムーズに整流するので送風性能が向上するが、この実施の形態の場合には、上記ターボファン８，８の回転軸を上方側に偏位させ、上記ターボファン８，８の空気吹出口と上記仕切板１７，１７との間の間隔を大きくしていることから、圧損が低下し、より送風効率が向上する。
【００４９】
また、以上とは逆にターボファン８，８の回転軸を下方側に偏位させることによって上面側パネル１ｄ，１ｄとの間の隙間を大きくしても、同様の作用を得ることができる。
【００５０】
（最良の実施の形態３）
次に図１０は、本願発明の最良の実施の形態３に係る空気調和機用室内機の構成を示している。
【００５１】
この実施の形態の場合、上記最良の実施の形態１の構成の仕切板１７，１７を、例えば図１０に示すように、下方側に円弧状に湾曲させ、それによってターボファン８，８の空気吹出口と上記仕切板１７，１７との間の間隔を大きくしたことを特徴としている。
【００５２】
このような構成によれば、仕切板１７，１７によりターボファン８，８および熱交換器９，９、９，９からの風が冷媒配管２１ａ〜２１ｅ側に作用するのが阻止されるので、冷媒配管２１ａ〜２１ｅ中の冷媒の相変化が防止される。
【００５３】
また、同仕切板１７，１７が湾曲されていて、ターボファン８，８からの風を吹出口７，７方向にスムーズに整流するので、送風性能が向上し、空気熱交換器９，９、９，９の熱交換効率も向上する。
【００５４】
（最良の実施の形態４）
次に図１１は、本願発明の最良の実施の形態４に係る空気調和機用室内機の構成を示している。
【００５５】
この実施の形態の場合、上記ターボファン８，８がスクロール通路（スクロールケーシング）を有して構成されており、上記最良の実施の形態１の構成の仕切板１７，１７を、例えば図１１に示すように、当該ターボファン８，８のスクロール通路の通路形状に沿ってＳ字状に湾曲されていることを特徴としている。
【００５６】
このように、ターボファン８，８がスクロール通路を有する場合、上記仕切板１７，１７は該スクロール通路の通路形状に沿って湾曲されていることが好ましく、そのように構成されていると、より送風性能が向上する。
【図面の簡単な説明】
【００５７】
【図１】本願発明の最良の実施の形態１に係る空気調和機用室内機の全体的な構成を示す斜視図である。
【図２】同室内機の前面カバーを開いた状態の全体構成を示す断面図である。
【図３】同室内機の構成を示す水平断面図である。
【図４】同室内機の内部構成を示す斜視図である。
【図５】同室内機の主たる熱交換器部分の構成を示す斜視図である。
【図６】同室内機の従たる熱交換器部分の構成を示す斜視図である。
【図７】同室内機の冷媒配管配設後の内部構成を示す斜視図である。
【図８】同室内機の冷媒配管を省略した内部構成を示す縦断面図である。
【図９】本願発明の最良の実施の形態２に係る空気調和機用室内機の内部構成を示す縦断面図である。
【図１０】本願発明の最良の実施の形態３に係る空気調和機用室内機の内部構成を示す縦断面図である。
【図１１】本願発明の最良の実施の形態４に係る空気調和機用室内機の内部構成を示す縦断面図である。
【符号の説明】
【００５８】
１は空気調和機用室内機の本体ケーシング、１ａは背面パネル、１ｂは側面パネル、１ｃは前面側吸気・吹出パネル、５は空気吸込口、６は通風路（空気通路）、７は空気吹出口、８はターボファン、９は空気熱交換器、１５はドレンパン、１７は仕切板、２１ａ〜２１ｅは冷媒配管である。
【図１】
2009115338.tif 000003
【図２】
2009115338.tif 000004
【図３】
2009115338.tif 000005
【図４】
2009115338.tif 000006
【図５】
2009115338.tif 000007
【図６】
2009115338.tif 000008
【図７】
2009115338.tif 000009
【図８】
2009115338.tif 000010
【図９】
2009115338.tif 000011
【図１０】
2009115338.tif 000012
【図１１】
2009115338.tif 000013